【事件の表示】
　平成８年特許願第５０９３８０号「再生装置及び再生方法」拒絶査定不服審判事件〔平成８年３月１４日国際公開、ＷＯ９６／０８０１４〕について、次のとおり審決する。
【結　論】
　本件審判の請求は、成り立たない。
【理　由】
第１　手続の経緯
　本件審判の請求に係る特許出願（以下、「本願」という。）は、平成７年９月８日（優先権主張平成６年９月８日、日本国）を国際出願日とする出願であって、平成１７年８月３１日付け拒絶理由通知に対して、同年１１月８日付けで手続補正がされたが、平成１８年３月１３日付けで拒絶査定がされ、これに対し、同年４月２７日付けで拒絶査定不服審判が請求されるとともに、同年５月２９日付けで手続補正がされたものである。
　
第２　平成１８年５月２９日付けの手続補正についての補正却下の決定
［補正却下の決定の結論］
　平成１８年５月２９日付けの手続補正を却下する。
　
［理由］
１．補正後の本願発明
　平成１８年５月２９日付け手続補正（以下、「本件補正」という。）は、明細書の全文についてするもので、そのうち特許請求の範囲は、本件補正前には、
「【請求項１】　記録媒体に記録された画像データを再生する再生装置において、
　上記記録媒体は、１枚の画像から形成された複数の異なる解像度の静止画像データが複数のアルバムを形成するように記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルと上記管理ファイルの上記記録媒体上での相対記録位置を上記記録媒体の記録単位で指定する位置データを含む管理情報テーブルとを有し、
　上記記録媒体に記録された画像ファイルを検索し、該検索された画像ファイルに含まれる画像データを再生する再生手段と、
　上記再生手段によって再生された画像データに応じた画像を表示する表示手段と、
　上記管理ファイルの管理データ及び上記管理情報テーブルの位置データに基づいて上記記録媒体から所望のインデックスファイルを検索し、該検索されたインデックスファイルに含まれる上記所定数の低解像度画像データによって、上記表示手段の１表示画面が構成されるように上記再生手段を制御する制御手段とを備え、
　上記制御手段は、上記再生手段を制御して、複数のアルバムの低解像度画像を１画面表示することを特徴とする再生装置。
　【請求項２】　上記制御手段は、上記再生手段を制御して、上記各アルバムの先頭に記録されている画像の各低解像度画像を上記表示手段で１画面表示することを特徴とする請求項１記載の再生装置。
　【請求項３】　上記制御手段は、上記各アルバムの先頭から所定数枚目までの画像の各低解像度画像を上記表示手段で１画面表示することを特徴とする請求項１記載の再生装置。
　【請求項４】　上記制御手段は、上記管理ファイル及び上記管理情報テーブルに含まれるデータを記憶するための記憶手段を有し、
　上記制御手段は、上記記憶手段に記憶された上記管理ファイル及び上記管理情報テーブルのデータに基づいて、上記画像ファイルを再生するように上記再生手段を制御することを特徴とする請求項１記載の再生装置。
　【請求項５】　上記再生手段は、上記画像ファイルに含まれる画像データを復号化する復号化手段を備えることを特徴とする請求項１記載の再生装置。
　【請求項６】　上記記録媒体は、ディレクトリと上記ディレクトリの下位に形成されたサブディレクトリとからなる階層ディレクトリ構造から構成され、
　上記管理ファイルは、上記ディレクトリの中に含まれる第１の管理ファイルと上記サブディレクトリの中に含まれる第２の管理ファイルとから構成され、
　上記インデックスファイルは、上記ディレクトリの中に含まれる第１のインデックスファイルと上記サブディレクトリの中に含まれる第２のインデックスファイルとから構成されることを特徴とする請求項４記載の再生装置。
　【請求項７】　上記制御手段は、上記記憶手段に記憶された上記第１の管理ファイル及び上記管理情報テーブルのデータに基づいて、上記第１のインデックスファイルに含まれる所定数の低解像度画像データによって上記表示手段の第１の表示画面を構成するように上記再生手段を制御し、上記第２の管理ファイル及び上記管理情報テーブルのデータに基づいて、上記第２のインデックスファイルに含まれる所定数の低解像度画像データによって上記表示手段の第２の表示画面を構成するように上記再生手段を制御することを特徴とする請求項６記載の再生装置。
　【請求項８】　上記第１の表示画面は、上記ディレクトリの下位に形成される全てのサブディレクトリを示すための所定数の低解像度画像データによって構成され、
　上記第２の表示画面は、上記サブディレクトリの中に含まれる全ての画像ファイルを示すための所定数の低解像度画像データによって構成されることを特徴とする請求項７記載の再生装置。
　【請求項９】　上記第１の管理ファイルには、上記第１の表示画面に表示された所定数の低解像度画像データの表示順と対応するように設けられた複数のディレクトリ情報ユニットが設けられ、
　上記第２の管理ファイルには、上記第２の表示画面に表示された所定数の低解像度画像データの表示順と対応するように設けられた画像情報ユニットが設けられ、
　上記制御手段は、上記ディレクトリ情報ユニットと上記第１の表示画面に表示された低解像度画像データとに基づいてサブディレクトリを指定し、上記画像情報ユニットと上記第２の表示画面に表示された低解像度画像データとに基づいて上記高解像度画像ファイルを指定することを特徴とする請求項８項記載の再生装置。
　【請求項１０】　上記ディレクトリ情報ユニットには、サブディレクトリを指定するディレクトリ番号が含まれ、
　上記画像情報ユニットには、高解像度画像ファイルを指定する画像番号が含まれることを特徴とする請求項９記載の再生装置。
　【請求項１１】　上記記録媒体は、上記画像ファイル及び管理ファイルを記録するための第１のエリアと、上記管理情報テーブルを記録する第２のエリアとを備え、
　上記管理情報テーブルは、上記第２のエリアを上記記録単位と異なる管理ブロック単位で管理する第１の管理ブロックと、上記第１のエリアに記録される上記画像ファイルの上記第１のエリア内での位置を、上記ディレクトリ又は上記サブディレクトリ毎に上記記録単位で管理する第２の管理ブロックとを備え、
　上記制御手段は、 上記第１の管理ブロック及び第２の管理ブロックに含まれるデータに基づいて、上記指定された高解像度画像ファイルを検索するように再生手段を制御することを特徴とする請求項９記載の再生装置。
　【請求項１２】　上記制御手段は、上記第１の管理ブロックのデータに基づいて、上記ディレクトリを表す第２の管理ブロックを指定し、上記ディレクトリを表す第２の管理ブロックのデータに基づいて、上記第１のインデックスファイルを検索するように上記再生手段を制御することを特徴とする請求の範囲第１１項記載の再生装置。
　【請求項１３】　上記制御手段は、上記第１の管理ブロックのデータに基づいて、上記ディレクトリを表す第２の管理ブロックを指定し、上記ディレクトリを表す第２の管理ブロックのデータに基づいて、上記指定されたサブディレクトリを表す第２の管理ブロックを指定し、上記指定されたサブディレクトリを表す第２の管理ブロックのデータに基づいて、上記指定されたサブディレクトリ内の第２のインデックスファイルを検索するように上記再生手段を制御することを特徴とする請求項１１記載の再生装置。
　【請求項１４】　上記制御手段は、上記第１の管理ブロックのデータに基づいて、上記ディレクトリを表す第２の管理ブロックを指定し、上記ディレクトリを表す第２の管理ブロックのデータに基づいて、上記指定されたサブディレクトリを表す第２の管理ブロックを指定し、上記指定されたサブディレクトリを表す第２の管理ブロックのデータに基づいて、上記指定された高解像度画像ファイルを検索するように上記再生手段を制御することを特徴とする請求項１１記載の再生装置。
　【請求項１５】　記録媒体に記録された画像データを再生する再生方法において、
　上記記録媒体は、１枚の画像から形成された複数の異なる解像度の静止画像データが複数のアルバムを形成するように記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルと上記管理ファイルの上記記録媒体上での相対記録位置を上記記録媒体の記録単位で指定する位置データを含む管理情報テーブルとを有し、
　（ａ）上記管理ファイルの管理データ及び上記管理情報テーブルの位置データに基づいて、上記記録媒体から所望のインデックスファイルを検索し、
　（ｂ）上記ステップ（ａ）で検索されたインデックスファイルに含まれる上記所定数の低解像度データによって、上記複数のアルバムの低解像度画像を１画面表示するように上記インデックスファイルを再生することを特徴とする再生方法。
　【請求項１６】　上記各アルバムの先頭に記録されている画像の各低解像度画像を１画面表示することを特徴とする再生方法。
　【請求項１７】　上記各アルバムの先頭から所定数枚目までの画像の各低解像度画像を１画面表示することを特徴とする請求項１５記載の再生方法。
　【請求項１８】　上記管理ファイル及び上記管理情報テーブルに含まれるデータを、上記記録媒体とは異なる記憶手段に記憶するステップをさらに有し、
　上記ステップ（ｂ）において、上記記憶手段に記憶された上記管理ファイル及び上記管理情報テーブルのデータに基づいて、上記インデックスファイルを再生することを特徴とする請求項１５記載の再生方法。
　【請求項１９】　上記インデックスファイルに含まれる低解像度画像データを復号化するステップをさらに備えることを特徴とする請求項１８記載の再生方法。
　【請求項２０】　上記記録媒体は、ディレクトリと上記ディレクトリの下位に形成されたサブディレクトリとからなる階層ディレクトリ構造から構成され、
　上記管理ファイルは、上記ディレクトリの中に含まれる第１の管理ファイルと上記サブディレクトリの中に含まれる第２の管理ファイルとから構成され、
　上記インデックスファイルは、上記ディレクトリの中に含まれる第１のインデックスファイルと上記サブディレクトリの中に含まれる第２のインデックスファイルとから構成されることを特徴とする請求項１８記載の再生方法。
　【請求項２１】　上記ステップ（ｂ）において、
　上記記憶手段に記憶された上記第１の管理ファイル及び上記管理情報テーブルのデータに基づいて、上記第１のインデックスファイルに含まれる所定数の低解像度画像データによって上記表示手段の第１の表示画面を構成するように再生するステップと、
　上記第２の管理ファイル及び上記管理情報テーブルのデータに基づいて、上記第２のインデックスファイルに含まれる所定数の低解像度画像データによって上記表示手段の第２の表示画面を構成するように再生するステップとをさらに有することを特徴とする請求項２０記載の再生方法。
　【請求項２２】　上記第１の表示画面は、上記ディレクトリの下位に形成される全てのサブディレクトリを示すための所定数の低解像度画像データによって構成され、
　上記第２の表示画面は、上記サブディレクトリの中に含まれる全ての画像ファイルを示すための所定数の低解像度画像データによって構成されることを特徴とする請求項２１記載の再生方法。
　【請求項２３】　上記第１の管理ファイルには、上記第１の表示画面に表示された所定数の低解像度画像データの表示順と対応するように設けられた複数のディレクトリ情報ユニットが設けられ、
　上記第２の管理ファイルには、上記第２の表示画面に表示された所定数の低解像度画像データの表示順と対応するように設けられた画像情報ユニットが設けられ、
　（ｃ）上記ディレクトリ情報ユニットと上記第１の表示画面に表示された低解像度画像データとに基づいてサブディレクトリを指定するステップと、
　（ｄ）上記画像情報ユニットと上記第２の表示画面に表示された低解像度画像データとに基づいて上記高解像度画像ファイルを指定するステップをさらに有することを特徴とする請求の範囲第２２項記載の再生方法。
　【請求項２４】　上記ディレクトリ情報ユニットには、サブディレクトリを指定するディレクトリ番号が含まれ、
　上記画像情報ユニットには、画像ファイルを指定する画像番号が含まれることを特徴とする請求項２３記載の再生方法。
　【請求項２５】　上記記録媒体は、上記画像ファイル及び管理ファイルを記録するための第１のエリアと、上記管理情報テーブルを記録する第２のエリアとを備え、
　上記管理テーブルは、上記第２のエリアを上記記録単位と異なる管理ブロック単位で管理する第１の管理ブロックと、上記第１のエリアに記録される上記画像ファイルの上記第１のエリア内での位置を、上記ディレクトリ又は上記サブディレクトリ毎に上記記録単位で管理する第２の管理ブロックとを備え、
 （ｅ）上記第１の管理ブロック及び第２の管理ブロックに含まれるデータに基づいて、上記ステップ（ｄ）で指定された高解像度画像ファイルを検索するステップをさらに有することを特徴とする請求項２３記載の再生方法。
　【請求項２６】　上記第１の管理ブロックのデータに基づいて、上記ディレクトリを表す第２の管理ブロックを指定するステップをさらに有し、 上記ステップ（ａ）において、上記ディレクトリを表す第２の管理ブロックのデータに基づいて、上記第１のインデックスファイルを検索することを特徴とする請求項２５記載の再生方法。
　【請求項２７】　上記第１の管理ブロックのデータに基づいて、上記ディレクトリを表す第２の管理ブロックを指定するステップと、
　上記ディレクトリを表す第２の管理ブロックのデータに基づいて、上記ステッブ（ｃ）で指定されたサブディレクトリを表す第２の管理ブロックを指定するステップとをさらに有し、
　上記ステップ（ａ）において、上記ステップ（ｄ）で指定されたサブディレクトリを表す第２の管理ブロックのデータに基づいて、上記指定されたサブディレクトリ内の第２のインデックスファイルを検索することを特徴とする請求項２５項の再生方法。
　【請求項２８】　上記第１の管理ブロックのデータに基づいて、上記ディレクトリを表す第２の管理ブロックを指定するステップと、
　上記ディレクトリを表す第２の管理ブロックのデータに基づいて、上記ステップ（ｃ）で指定されたサブディレクトリを表す第２の管理ブロックを指定するステップとさらに有し、
　上記ステップ（ｅ）において、上記ステップ（ｃ）で指定されたサブディレクトリを表す第２の管理ブロックのデータに基づいて、上記ステップ（ｄ）で指定された高解像度画像ファイルを検索することを特徴とする請求項２５記載の再生方法。」
というものであったところを、本件補正後には、
　
「【請求項１】　記録媒体に記録された画像データを再生する再生装置において、
　上記記録媒体は、１枚の画像から形成された複数の異なる解像度の静止画像データが複数のアルバムを形成するように記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルと上記管理ファイルの上記記録媒体上での相対記録位置を上記記録媒体の記録単位で指定する位置データを含む管理情報テーブルとを有し、
　上記記録媒体に記録された画像ファイルを検索し、該検索された画像ファイルに含まれる画像データを再生する再生手段と、
　上記再生手段によって再生された画像データに応じた画像を表示する表示手段と、
　上記管理ファイルの管理データ及び上記管理情報テーブルの位置データに基づいて上記記録媒体から所望のインデックスファイルを検索し、該検索されたインデックスファイルに含まれる上記所定数の低解像度画像データによって、上記表示手段の１表示画面が構成されるように上記再生手段を制御する制御手段とを備え、
　上記制御手段は、上記再生手段を制御して、複数のアルバムの低解像度画像を
各アルバムごとに所定数ずつ
　【請求項２】　上記制御手段は、上記再生手段を制御して、上記各アルバムの先頭に記録されている画像の各低解像度画像を上記表示手段で１画面表示することを特徴とする請求項１記載の再生装置。
　【請求項３】　上記制御手段は、上記各アルバムの先頭から所定数枚目までの画像の各低解像度画像を上記表示手段で１画面表示することを特徴とする請求項１記載の再生装置。
　【請求項４】　上記制御手段は、上記管理ファイル及び上記管理情報テーブルに含まれるデータを記憶するための記憶手段を有し、
　上記制御手段は、上記記憶手段に記憶された上記管理ファイル及び上記管理情報テーブルのデータに基づいて、上記画像ファイルを再生するように上記再生手段を制御することを特徴とする請求項１記載の再生装置。
　【請求項５】　上記再生手段は、上記画像ファイルに含まれる画像データを復号化する復号化手段を備えることを特徴とする請求項１記載の再生装置。
　【請求項６】　上記記録媒体は、ディレクトリと上記ディレクトリの下位に形成されたサブディレクトリとからなる階層ディレクトリ構造から構成され、
　上記管理ファイルは、上記ディレクトリの中に含まれる第１の管理ファイルと上記サブディレクトリの中に含まれる第２の管理ファイルとから構成され、
　上記インデックスファイルは、上記ディレクトリの中に含まれる第１のインデックスファイルと上記サブディレクトリの中に含まれる第２のインデックスファイルとから構成されることを特徴とする請求項４記載の再生装置。
　【請求項７】　上記制御手段は、上記記憶手段に記憶された上記第１の管理ファイル及び上記管理情報テーブルのデータに基づいて、上記第１のインデックスファイルに含まれる所定数の低解像度画像データによって上記表示手段の第１の表示画面を構成するように上記再生手段を制御し、上記第２の管理ファイル及び上記管理情報テーブルのデータに基づいて、上記第２のインデックスファイルに含まれる所定数の低解像度画像データによって上記表示手段の第２の表示画面を構成するように上記再生手段を制御することを特徴とする請求項６記載の再生装置。
　【請求項８】　上記第１の表示画面は、上記ディレクトリの下位に形成される全てのサブディレクトリを示すための所定数の低解像度画像データによって構成され、
　上記第２の表示画面は、上記サブディレクトリの中に含まれる全ての画像ファイルを示すための所定数の低解像度画像データによって構成されることを特徴とする請求項７記載の再生装置。
　【請求項９】　上記第１の管理ファイルには、上記第１の表示画面に表示された所定数の低解像度画像データの表示順と対応するように設けられた複数のディレクトリ情報ユニットが設けられ、
　上記第２の管理ファイルには、上記第２の表示画面に表示された所定数の低解像度画像データの表示順と対応するように設けられた画像情報ユニットが設けられ、
　上記制御手段は、上記ディレクトリ情報ユニットと上記第１の表示画面に表示された低解像度画像データとに基づいてサブディレクトリを指定し、上記画像情報ユニットと上記第２の表示画面に表示された低解像度画像データとに基づいて上記高解像度画像ファイルを指定することを特徴とする請求項８項記載の再生装置。
　【請求項１０】　上記ディレクトリ情報ユニットには、サブディレクトリを指定するディレクトリ番号が含まれ、
　上記画像情報ユニットには、高解像度画像ファイルを指定する画像番号が含まれることを特徴とする請求項９記載の再生装置。
　【請求項１１】　上記記録媒体は、上記画像ファイル及び管理ファイルを記録するための第１のエリアと、上記管理情報テーブルを記録する第２のエリアとを備え、
　上記管理情報テーブルは、上記第２のエリアを上記記録単位と異なる管理ブロック単位で管理する第１の管理ブロックと、上記第１のエリアに記録される上記画像ファイルの上記第１のエリア内での位置を、上記ディレクトリ又は上記サブディレクトリ毎に上記記録単位で管理する第２の管理ブロックとを備え、
　上記制御手段は、 上記第１の管理ブロック及び第２の管理ブロックに含まれるデータに基づいて、上記指定された高解像度画像ファイルを検索するように再生手段を制御することを特徴とする請求項９記載の再生装置。
　【請求項１２】　上記制御手段は、上記第１の管理ブロックのデータに基づいて、上記ディレクトリを表す第２の管理ブロックを指定し、上記ディレクトリを表す第２の管理ブロックのデータに基づいて、上記第１のインデックスファイルを検索するように上記再生手段を制御することを特徴とする請求の範囲第１１項記載の再生装置。
　【請求項１３】　上記制御手段は、上記第１の管理ブロックのデータに基づいて、上記ディレクトリを表す第２の管理ブロックを指定し、上記ディレクトリを表す第２の管理ブロックのデータに基づいて、上記指定されたサブディレクトリを表す第２の管理ブロックを指定し、上記指定されたサブディレクトリを表す第２の管理ブロックのデータに基づいて、上記指定されたサブディレクトリ内の第２のインデックスファイルを検索するように上記再生手段を制御することを特徴とする請求項１１記載の再生装置。
　【請求項１４】　上記制御手段は、上記第１の管理ブロックのデータに基づいて、上記ディレクトリを表す第２の管理ブロックを指定し、上記ディレクトリを表す第２の管理ブロックのデータに基づいて、上記指定されたサブディレクトリを表す第２の管理ブロックを指定し、上記指定されたサブディレクトリを表す第２の管理ブロックのデータに基づいて、上記指定された高解像度画像ファイルを検索するように上記再生手段を制御することを特徴とする請求項１１記載の再生装置。
　【請求項１５】　記録媒体に記録された画像データを再生する再生方法において、
　上記記録媒体は、１枚の画像から形成された複数の異なる解像度の静止画像データが複数のアルバムを形成するように記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルと上記管理ファイルの上記記録媒体上での相対記録位置を上記記録媒体の記録単位で指定する位置データを含む管理情報テーブルとを有し、
　（ａ）上記管理ファイルの管理データ及び上記管理情報テーブルの位置データに基づいて、上記記録媒体から所望のインデックスファイルを検索し、
　（ｂ）上記ステップ（ａ）で検索されたインデックスファイルに含まれる上記所定数の低解像度データによって、上記複数のアルバムの低解像度画像を
各アルバムごとに所定数ずつ
　【請求項１６】　上記各アルバムの先頭に記録されている画像の各低解像度画像を１画面表示することを特徴とする
請求項１５記載の
　【請求項１７】　上記各アルバムの先頭から所定数枚目までの画像の各低解像度画像を１画面表示することを特徴とする請求項１５記載の再生方法。
　【請求項１８】　上記管理ファイル及び上記管理情報テーブルに含まれるデータを、上記記録媒体とは異なる記憶手段に記憶するステップをさらに有し、
　上記ステップ（ｂ）において、上記記憶手段に記憶された上記管理ファイル及び上記管理情報テーブルのデータに基づいて、上記インデックスファイルを再生することを特徴とする請求項１５記載の再生方法。
　【請求項１９】　上記インデックスファイルに含まれる低解像度画像データを復号化するステップをさらに備えることを特徴とする請求項１８記載の再生方法。
　【請求項２０】　上記記録媒体は、ディレクトリと上記ディレクトリの下位に形成されたサブディレクトリとからなる階層ディレクトリ構造から構成され、
　上記管理ファイルは、上記ディレクトリの中に含まれる第１の管理ファイルと上記サブディレクトリの中に含まれる第２の管理ファイルとから構成され、
　上記インデックスファイルは、上記ディレクトリの中に含まれる第１のインデックスファイルと上記サブディレクトリの中に含まれる第２のインデックスファイルとから構成されることを特徴とする請求項１８記載の再生方法。
　【請求項２１】　上記ステップ（ｂ）において、
　上記記憶手段に記憶された上記第１の管理ファイル及び上記管理情報テーブルのデータに基づいて、上記第１のインデックスファイルに含まれる所定数の低解像度画像データによって上記表示手段の第１の表示画面を構成するように再生するステップと、
　上記第２の管理ファイル及び上記管理情報テーブルのデータに基づいて、上記第２のインデックスファイルに含まれる所定数の低解像度画像データによって上記表示手段の第２の表示画面を構成するように再生するステップとをさらに有することを特徴とする請求項２０記載の再生方法。
　【請求項２２】　上記第１の表示画面は、上記ディレクトリの下位に形成される全てのサブディレクトリを示すための所定数の低解像度画像データによって構成され、
　上記第２の表示画面は、上記サブディレクトリの中に含まれる全ての画像ファイルを示すための所定数の低解像度画像データによって構成されることを特徴とする請求項２１記載の再生方法。
　【請求項２３】　上記第１の管理ファイルには、上記第１の表示画面に表示された所定数の低解像度画像データの表示順と対応するように設けられた複数のディレクトリ情報ユニットが設けられ、
　上記第２の管理ファイルには、上記第２の表示画面に表示された所定数の低解像度画像データの表示順と対応するように設けられた画像情報ユニットが設けられ、
　（ｃ）上記ディレクトリ情報ユニットと上記第１の表示画面に表示された低解像度画像データとに基づいてサブディレクトリを指定するステップと、
　（ｄ）上記画像情報ユニットと上記第２の表示画面に表示された低解像度画像データとに基づいて上記高解像度画像ファイルを指定するステップをさらに有することを特徴とする請求の範囲第２２項記載の再生方法。
　【請求項２４】　上記ディレクトリ情報ユニットには、サブディレクトリを指定するディレクトリ番号が含まれ、
　上記画像情報ユニットには、画像ファイルを指定する画像番号が含まれることを特徴とする請求項２３記載の再生方法。
　【請求項２５】　上記記録媒体は、上記画像ファイル及び管理ファイルを記録するための第１のエリアと、上記管理情報テーブルを記録する第２のエリアとを備え、
　上記管理テーブルは、上記第２のエリアを上記記録単位と異なる管理ブロック単位で管理する第１の管理ブロックと、上記第１のエリアに記録される上記画像ファイルの上記第１のエリア内での位置を、上記ディレクトリ又は上記サブディレクトリ毎に上記記録単位で管理する第２の管理ブロックとを備え、
 （ｅ）上記第１の管理ブロック及び第２の管理ブロックに含まれるデータに基づいて、上記ステップ（ｄ）で指定された高解像度画像ファイルを検索するステップをさらに有することを特徴とする請求項２３記載の再生方法。
　【請求項２６】　上記第１の管理ブロックのデータに基づいて、上記ディレクトリを表す第２の管理ブロックを指定するステップをさらに有し、 上記ステップ（ａ）において、上記ディレクトリを表す第２の管理ブロックのデータに基づいて、上記第１のインデックスファイルを検索することを特徴とする請求項２５記載の再生方法。
　【請求項２７】　上記第１の管理ブロックのデータに基づいて、上記ディレクトリを表す第２の管理ブロックを指定するステップと、
　上記ディレクトリを表す第２の管理ブロックのデータに基づいて、上記
ステップ
　上記ステップ（ａ）において、上記ステップ（ｄ）で指定されたサブディレクトリを表す第２の管理ブロックのデータに基づいて、上記指定されたサブディレクトリ内の第２のインデックスファイルを検索することを特徴とする請求項２５項の再生方法。
　【請求項２８】　上記第１の管理ブロックのデータに基づいて、上記ディレクトリを表す第２の管理ブロックを指定するステップと、
　上記ディレクトリを表す第２の管理ブロックのデータに基づいて、上記ステップ（ｃ）で指定されたサブディレクトリを表す第２の管理ブロックを指定するステップとさらに有し、
　上記ステップ（ｅ）において、上記ステップ（ｃ）で指定されたサブディレクトリを表す第２の管理ブロックのデータに基づいて、上記ステップ（ｄ）で指定された高解像度画像ファイルを検索することを特徴とする請求項２５記載の再生方法。」
とするものである。
　
　上記本件補正のうち、請求項１及び１５についてのものは、該請求項１及び１５に記載した発明を特定するために必要な事項である「複数のアルバムの低解像度画像を１画面表示する」に対し、「複数のアルバムの低解像度画像を
各アルバムごとに所定数ずつ
請求項１５記載の
　
　そこで、本件補正後における特許請求の範囲の請求項１５に記載されている事項により特定される発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて、以下に検討する。
　
２．引用例
　原査定の拒絶の理由に引用された、本願優先日前に頒布された刊行物である特開平２−２８５８７９号公報（以下、「引用例」という。）には、静止画ファイル装置に関して図面とともに以下の技術事項が記載されている（下線は当審で付した。）。
　
　（ａ）「
取込まれる静止画は、１フレームの全画素によるフル（Full）画と一緒に、画素を所定の割合で抽出したインデックス（Index）画が形成され、これらの静止画と共に検索のための任意の分類コードなどを含むディスクリプタが付加されて形成される。そしてこれらの２静止画及びディスクリプタが所定のフォーマットでメモリ装置（1A）に書込まれる。なおフォーマットとしてはディスクリプタ、フル画及びインデックス画はそれぞれ独立の領域に書込まれると共に、ディスクリプタ内に対応するフル画及びインデックス画のアドレスが設けられるようになっている。
メモリ装置（1A）に取込まれた静止画はＭＯディスクのドライブ装置（103）等に転送して保存することができ、このＭＯディスクは取出して他の同様の装置で用いることもできる
　そしてこのようにして取込まれた静止画に対して、その編集が以下のようにして行われる。
　すなわち第３図は機能ブロック図であって、例えば
上述のようにして複数の静止画の書込まれたＭＯディスクがドライブ装置（103）に供給されると、まずディスク上のディスクリプタから検索に用いる分類コードなどによるデータベースがワークステーション（2）で形成〔21〕される。このデータベースによる画像がカラーディスプレイ（202）に表示され、これに対してキーボード（203）あるいはマウス（204）にて検索〔22〕が行われ、検索された分類コード等によって静止画ファイル手段（1）にてドライブ装置（103）から対応する静止画のディスクリプタが読出〔11〕される。
　ここで上述の検索〔22〕は第４図のフローチャートに示すような手段で行われる。すなわち検索〔22〕がスタートされると、まずカラーディスプレイ（202）に検索されるディスク名が表示され（ステップＡ）、この状態でディレクトリを表示するか否かが問われる（ステップＢ）、そして使用者がキーボード（203）等でイエスを選択すると、カラーディスプレイ（202）にディレクトリが表示され（ステップＣ）、この状態で使用者のキーボード（203）等での選択が行われる（ステップＤ）。さらにこの状態でタイトルを表示するか否かが問われる（ステップＥ）。そして使用者がキーボード（203）等でイエスを選択すると、カラーディスプレイ（202）にタイトルが表示され（ステップＦ）、この状態で使用者のキーボード（203）等での選択が行われる（ステップＧ）。これによって
タイトルが選択されると、この選択されたタイトルに含まれる全静止画のディスクリプタがドライブ装置（103）から読出〔11〕され
　これに対してステップＢでノーが選択されたときは、
ディスク上の全静止画のディスクリプタがドライブ装置（103）から読出〔11〕される
選択されたディレクトリに含まれる全静止画のディスクリプタがドライブ装置（103）から読出〔11〕される
　
そしてこのようにして読出〔11〕されたディスクリプタが解析〔12〕され、インデックス画及びフル画のアドレスがストア〔13〕されると共に、解析されたアドレスに従ってドライブ装置（103）からインデックス画が読出〔14〕され、この読出されたインデックス画がメモリ装置（1A）に転送される。このメモリ装置（1A）に転送されたインデックス画がさらにインターフェース回路（16）に転送される。従って分類されて保存された静止画をディスク、ディレクトリ、タイトルのいずれの階層からでも取出すことができる
　
さらにインターフェース回路（16）には、例えばカラーディスプレイ（202）の全画素に相当する画像メモリ（16M）が設けられており、ＣＰＵ（201）から供給される信号によって例えば第５図に示すような背景画が形成されている。そしてこの背景画の内の上半分で斜線を附した各範囲(1)〜(12)（審決注；丸中数字については、表記の便宜上、丸括弧の数字で記載した。（以下同様））ごとに、アドレス制御〔15〕によって上述の各インデックス画が順次書込まれて表示が行われる。なお検索された全インデックス画を一旦メモリ装置（1A）に書込むことにより、例えばインデックス画が13枚以上あるときに表示の別ページへのアクセスなどを高速で行うことができる。
　
一方背景画の下半分にも斜線を附したように範囲(13)〜(24)が設けられている。そして上述の範囲(1)〜(12)にそれぞれインデックス画が表示された状態でマウス（204）等にて任意のカーソル（図示せず）を所望の静止画の範囲内に移動しそこで任意のキー操作等を行うことによって、ワークステーション（2）にてその範囲に対応する静止画が判別〔23〕され、その判別に従って上述のストア〔13〕されたアドレスの中から所望の静止画のフル画及びインデックス画のアドレスが取出され、これによってドライブ装置（103）から読出〔16〕されたフル画及びインデックス画がメモリ装置（1A）に書込まれると共にインデックス画が範囲(13)に対応するメモリ（16M）のアドレスに書込まれて表示される。
　（ｂ）第２図乃至第５図には、上記（ａ）等の記載により説明されるインデックス画の表示に係る構成及び表示画面の図が記載されている。
　
　上記摘示事項及び図面の記載を総合勘案すると、引用例には、次の発明が記載されているものと認める。
　
「静止画は、１フレームの全画素によるフル（Full）画と一緒に、画素を所定の割合で抽出したインデックス（Index）画が形成され、これらの静止画と共に検索のための任意の分類コードなどを含むディスクリプタが付加されて形成され、
ディスクリプタ、フル画及びインデックス画はそれぞれ独立の領域に書込まれると共に、ディスクリプタ内に対応するフル画及びインデックス画のアドレスが設けられるようになっており、
複数の静止画の書込まれたＭＯディスクがドライブ装置に供給されると、
ディスク上のディスクリプタから検索に用いる分類コードなどによるデータベースがワークステーションで形成され、
ディスク上の全静止画、選択されたディレクトリに含まれる全静止画、又は選択されたタイトルに含まれる全静止画のディスクリプタがドライブ装置から読出され、
読出されたディスクリプタが解析され、解析されたアドレスに従ってドライブ装置からインデックス画が読出され、インターフェース回路に転送され、
インターフェース回路には、例えばカラーディスプレイの全画素に相当する画像メモリが設けられており、ＣＰＵから供給される信号によって例えば第５図に示すような背景画が形成されており、
背景画の内の上半分で斜線を附した各範囲(1)〜(12)ごとに、アドレス制御によって上述の各インデックス画が順次書込まれて表示が行われ、
マウス等にて任意のカーソルを所望の静止画の範囲内に移動しそこで任意のキー操作等を行うことによって、静止画が判別され、
所望の静止画のフル画及びインデックス画のアドレスが取出され、
インデックス画が範囲(13)に対応するメモリのアドレスに書込まれて表示される方法。」
　
３．対比
　本願補正発明を、引用発明と比較する。
　（１）引用発明における「複数の静止画の書込まれたＭＯディスク」は、本願補正発明における「記録媒体」に相当し、また、引用発明は、ＭＯディスクに書込まれたインデックス画がカラーディスプレイに表示されるものであるから、本願補正発明の「記録媒体に記録された画像データを再生する再生方法」に相当する構成を含むものである。
　（２）引用発明における「１フレームの全画素によるフル（Full）画」及び「画素を所定の割合で抽出したインデックス（Index）画」は、本願補正発明における「高解像度データ」及び「低解像度画像データ」にそれぞれ相当し、また、引用発明における「ディスクリプタ」は「ディスクリプタ内に対応するフル画及びインデックス画のアドレスが設けられるようになって」いるものであるから、本願補正発明における「上記インデックスファイルに含まれる低解像度画像データに夫々対応する上記高解像度画像ファイルを示すための管理データを含む管理ファイル」に相当する。そして、データをファイルとして記録することは一般に行われていることであるから、引用発明は、本願補正発明における「上記記録媒体は、１枚の画像から形成された複数の異なる解像度の静止画像データが記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルとを有し」に相当する構成を実質的に備えている。
　（３）引用発明は、「ディスク上の全静止画、選択されたディレクトリに含まれる全静止画、又は選択されたタイトルに含まれる全静止画のディスクリプタがドライブ装置から読出され、読出されたディスクリプタが解析され、解析されたアドレスに従ってドライブ装置からインデックス画が読出され、」「表示が行われ」るものであるから、本願補正発明における「（ａ）上記管理ファイルの管理データに基づいて、上記記録媒体から所望のインデックスファイルを検索し、（ｂ）上記ステップ（ａ）で検索されたインデックスファイルに含まれる上記所定数の低解像度データによって、低解像度画像を１画面表示するように上記インデックスファイルを再生する再生方法」を実質的に含むものである。
　
　すると、本願補正発明と、引用発明とは、次の点で一致する。
「記録媒体に記録された画像データを再生する再生方法において、
　上記記録媒体は、１枚の画像から形成された複数の異なる解像度の静止画像データが記録されており、高解像度データを含む複数の高解像度画像ファイルと上記高解像度画像ファイルと夫々対応した所定数の低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルとを有し、
　（ａ）上記管理ファイルの管理データに基づいて、上記記録媒体から所望のインデックスファイルを検索し、
　（ｂ）上記ステップ（ａ）で検索されたインデックスファイルに含まれる上記所定数の低解像度データによって、低解像度画像を１画面表示するように上記インデックスファイルを再生する再生方法。」
　
　一方で、両者は、次の各点で相違する。
　（Ａ）本願補正発明では、「上記画像ファイルと上記管理ファイルの上記記録媒体上での相対記録位置を上記記録媒体の記録単位で指定する位置データを含む管理情報テーブルとを有し、（上記管理ファイルの管理データ及び）上記管理情報テーブルの位置データに基づいて、上記記録媒体から所望のインデックスファイルを検索」するものであるのに対し、引用発明では前記構成について特定されていない点。
　（Ｂ）本願補正発明では、静止画像データの記録媒体への記録が「複数のアルバムを形成するように」なされており、かつ、１画面表示が「上記複数のアルバムの低解像度画像を各アルバムごとに所定数ずつ」なされるものであるのに対し、引用発明では、前記構成を備えていない点。
　
４．判断
　（相違点Ａについて）
　ファイルの記録位置を相対位置に基づき管理する技術は、当該技術分野において周知であるから（例えば、特開昭６４−４９９３号公報（特許請求の範囲等）、及び特開平４−３１３８１７号公報（段落【００１１】等）等参照。）、引用発明において、画像ファイルと管理ファイルの相対記録位置を記録単位で指定する位置データで管理し、適宜ファイル検索に用いることに困難性は認められない。その際、記録位置等の情報を管理するテーブルを用い、管理情報テーブルとすることは当業者が普通に設計する構成にすぎない。
　
　（相違点Ｂについて）
　複数画像を画像群毎に管理するとともに画像検索時に縮小画像を１画面表示するものにおいて、該１画面表示される縮小画像を各画像群に対し所定数ずつ割り当てる技術は、特開平４−２３７３７６号公報（段落【００１１】、第２図及び第３図等）、及び特開平５−１２８１６６号公報（段落【００２６】及び【００２７】、第３図等）に記載されているように、周知技術と認められるから、複数画像をディレクトリやタイトルに属する画像群毎に管理するとともに、画像検索時に縮小画像を１画面表示する引用発明において上記周知技術を用いることに困難性は認められない。
　また、複数画像の画像群毎の管理を複数のアルバムの形で行うことも、周知技術（例えば、特開平５−１２３９２号公報（原査定の拒絶の理由で引用）（段落【００１６】、第３図等）、特開平５−２９０５４８号公報（原査定の拒絶の理由で引用）（段落【００１９】乃至【００２１】、第５図乃至第７図等）、及び特開平５−１０８７３２号公報（段落【００２９】、第１３図等）等参照。）であるから、引用発明の構成を、上記複数のアルバムを用いた技術として利用することも当業者が必要に応じて適宜なし得る事項にすぎない。
　
　なお、審判請求人は、平成１８年５月２９日付け審判請求の理由において、
「静止画を複数のアルバムとして管理・表示することが周知慣用の技術であったとしても、本願発明は、複数のアルバムの画像を全て表示するのではなく、複数のアルバムの低解像度画像を各アルバムごとに所定数ずつ１画面表示することで、ひとめで全てのアルバムの画像を確認できるとともに、各アルバムにどのような種類等の画像が記録されているのか確認でき、所望の画像がどのアルバムに記録されているかをより簡単に検索できるという本願独自の作用効果が得られる本願発明は、上記引用文献１〜引用文献５の開示技術に基づいて、当業者を以てしても容易に想到し得るものではない。」
と主張する。
　しかしながら、上記判断したとおり、１画面表示される縮小画像を各画像群に対し所定数ずつ割り当てる点が、静止画を複数のアルバムとして管理・表示する点と共に周知技術であると認められる以上、引用発明において上記周知技術を利用することが当業者にとって困難なものであったといえず、審判請求人の主張する上記効果も、１画面表示される縮小画像を各画像群に対し所定数ずつ割り当てる上記周知技術の採用に伴って生じる周知のものにすぎない。
　したがって、審判請求人による平成１８年５月２９日付け手続補正書における上記主張は、採用することができない。
　
　そして、本願補正発明の効果についてみても、引用発明のものに上記周知の構成を採用することに伴って当然に予測される程度のものにすぎず、格別顕著なものがあるともいえない。
　
　したがって、本願補正発明は、その出願前に頒布された刊行物である引用例に記載された発明及び周知技術に基づいて、当業者が容易に発明をすることができたものである。
　
５．本件補正についてのむすび
　以上のとおり、本願補正発明は、特許法第２９条第２項の規定により、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下すべきものである。
　
第３　本願発明について
１．本願発明
　平成１８年５月２９日付けの手続補正は上記のとおり却下されたので、本願の請求項１乃至２８に係る発明は、平成１７年１１月８日付け手続補正により補正された明細書の特許請求の範囲の請求項１乃至２８に記載されたとおりのものであるところ、そのうち請求項１５に記載された発明（以下、「本願発明」という。）は、上記「第２　［理由］１．補正後の本願発明」において本件補正前の請求項１５として掲げたとおりのものである。
　
２．引用例
　原査定の拒絶の理由に引用された引用例及びその記載事項は、上記「第２　［理由］２．引用例」において記載したとおりである。
　
３．対比・判断
　本願発明は、上記「第２　［理由］」で検討した本願補正発明における、「複数のアルバムの低解像度画像を各アルバムごとに所定数ずつ１画面表示する」に関し、「各アルバムごとに所定数ずつ」との限定する特定事項を省いたものである。
　そうすると、本願発明を特定するために必要な事項を全て含み、さらに他の事項を付加したものに相当する本願補正発明が、上記「第２　［理由］４．判断」に記載したとおり、引用例に記載された発明及び周知技術に基づいて、当業者が容易に発明をすることができたものであるから、本願発明も、同様の理由により、当業者が容易に発明をすることができたものである。
　
４．むすび
　以上のとおり、本願の請求項１５に記載された発明は、引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。